Podtech/llm-jp-corpus-v4-ja_patent huggingface dataset:
(57)【要約】      （修正有）【課題】バインダーやルーズリーフ等で使用するペンホルダー機能等を合わせ持つ下敷きマットを提供する。【解決手段】バインダーやルーズリーフ等で使用する用紙のサイズ、穴数に合わせた、ＰＶＣ等のビニール系の素材で０．７ｍｍから２ｍｍ前後の厚みに作ったマットの一部に、筆記用具を保持するペンホルダー部を設けた下敷きマットにより課題を解決する。ペンホルダー付きルーズリーフ下敷きマットを、バインダーやルーズリーフの最終ページに付けておけば、その携帯だけで他に筆記用具を持ち合わせる必要が無い。また、必要に応じてマットをルーズリーフから外し、筆記するページの下に差し込めば、下敷きや印鑑マットとして使用することが出来る。【選択図】図２
0003145402.tif 000002
【実用新案登録請求の範囲】
【請求項１】
バインダー、ルーズリーフ、システム手帳等において、使用する用紙のサイズ、穴数に合わせ、ＰＶＣ等のビニール系の素材で作った、０．７ｍｍから２ｍｍ前後の厚みのマットの一部に、筆記用具を保持するペンホルダー部、カード電卓を収納するカード電卓収納部、またその裏面には、写真やメモを入れられるポケットを設けた、下敷き代わりにもなることを特徴とするペンホルダー付きルーズリーフ下敷きマット。
【考案の詳細な説明】
【考案の詳細な説明】
【技術分野】
【０００１】  本考案は、バインダーやルーズリーフ等で使用する、ペンホルダー機能等を合わせ持つ下敷きマットに関するものである。
【背景技術】
【０００２】  従来、ルーズリーフ形式のシステム手帳等で、メモホルダーや名刺ホルダー機能をもつものなどがあった。
【考案の開示】
【考案が解決しようとする課題】
【０００３】  一般に、Ｂ５からＡ４サイズの用紙を使用するバインダーやルーズリーフでは、それ自体にペンホルダー機能を持つものは無く、筆記用具の携帯は別に絶対必要不可欠のものであった。
【課題を解決するための手段】
【０００４】  本考案は、バインダーやルーズリーフ等で使用する用紙のサイズ、穴数に合わせた、ＰＶＣ等のビニール系の素材で０．７ｍｍから２ｍｍ前後の厚みに作ったマットの一部に、筆記用具を保持するペンホルダー部を設けた下敷きマットを提供することにより上記課題を解決するものである。
【考案の効果】  請求項１の考案によるペンホルダー付きルーズリーフ下敷きマットを、バインダーやルーズリーフの最終ページに付けておけば、その携帯だけで他に筆記用具を持ち合わせる必要が無い。また、必要に応じてマットをルーズリーフから外し、筆記するページの下に差し込めば、下敷きや印鑑マットとして使用することが出来る。
【考案を実施するための最良の形態】  図面を参照して本考案の実施の形態を説明する。バインダーやルーズリーフ等で、それに使用する用紙のサイズ、穴数に合わせＰＶＣ等のビニール系の素材で０．７ｍｍから２ｍｍ前後の厚みに作ったマット本体（１）に、ルーズリーフ綴じ込み用の穴（２）、筆記用具のクリップ差込口の楕円形の穴（３）、筆記用具グリップ部固定バンドを通す穴（４）二ヶ所を設ける。筆記用具グリップ部固定バンドを通す穴（４）に、筆記用具グリップ部固定バンド（５）を付け、マット本体（１）の裏面には、カード電卓収納ポケット（６）、写真等メモ用紙収納ポケット（７）を、それぞれのポッケトより数ｍｍ大きい矩形をした０．２ｍｍ程度の肉厚のビニールフィルム（８）をマット本体（１）に、上部は開け、左右と下部を圧着することにより設ける。カード電卓収納ポケット（６）は、マット本体（１）の厚みが２ｍｍ前後になる場合は、マットの上からの電卓のキー操作が不能となるため、図３にあるように、カード電卓の大きさに合わせ、マット本体（１）をカットし、ビニールフィルム（８）２枚を、１枚は表面にそのカットした部分を塞ぐように上下左右を圧着し、もう１枚は裏面に、カード電卓をカード電卓収納ポケット（６）に挿入できるように上部を開け、左右と下部をマット本体（１）に圧着する方法を採る等して、マット本体（１）表面から、カード電卓のキー操作が出来るようにする。
【図面の簡単な説明】
【図１】  ペンホルダー付きルーズリーフ下敷きマットの正面図である。
【図２】  ペンホルダー付きルーズリーフ下敷きマットの斜視図である。
【図３】  マット本体に、２ｍｍ厚のビニール素材を使ったときの、カード電卓収納ポケットに代わるもので、その部分のマット本体をカード電卓の大きさにカットし、ビニールフィルム（８）２枚を使ったカード電卓収納部分の正面図である。
【符号の説明】
１  マット本体
２  ルーズリーフ綴じ込み用の穴
３  筆記用具のクリップ差込口の楕円形の穴
４  筆記用具グリップ部固定バンドを通す穴
５  筆記用具グリップ部固定バンド
６  カード電卓収納ポケット
７  写真等メモ用紙収納ポケット
８  ビニールフィルム
【図１】
0003145402.tif 000003
【図２】
0003145402.tif 000004
【図３】
0003145402.tif 000005
(57)【要約】      （修正有）【課題】雨靴先端における内部密閉空間の換気及び、くるぶしと足首周辺空間の換気を行い、爪先の蒸れを防止し、雨靴内の換気を行う通気孔設置式雨靴を提供する。【解決手段】雨靴先端内部の内皮２及び、足首部の内皮２に開口部５をそれぞれ設け、その外側に外皮１を設置して、通気孔３を構成する。この様にすれば、足の爪先部の密閉空間及び、くるぶしと足首の周辺空間が、開放されて換気が行なわれる。さらに、歩く事による足の動き及び雨靴の変形によって、ポンプ作用が生じ、換気が促進される。又、耐久性及び水蜜性も優れている。【選択図】図１
0003145407.tif 000002
【実用新案登録請求の範囲】
【請求項１】
雨靴における爪先部密閉空間及び、くるぶし周辺空間と足首周辺空間の換気を行なう為に、通気孔を設置した構造の通気孔設置式雨靴。
【考案の詳細な説明】
【考案の詳細な説明】
【技術分野】
【０００１】  本考案は、足の爪先部及び、足首部に開口部を設け、その外側に外皮を設置して、通気孔を構成する事によって、雨靴先端における内部密閉空間の換気及び、くるぶしと足首周辺空間の換気を行い、爪先の蒸れを防止し、雨靴内の換気を行う通気孔設置式雨靴である。
【背景技術】
【０００２】  従来、雨靴先端部に、水を通さず空気だけを通す換気弁を設置した方式のものがあったが、泥や砂粒等に不適であり、耐久性にも問題があった。又、歩く時の足裏の運動を利用して、雨靴先端の内部密閉空間内へ、ポンプ作用によって空気を送り込む方式のものがあったが、密閉空間である為、換気性能が悪く、さらに、耐久性にも問題があった。
【考案を実施するための最良の形態】
【０００３】  本考案は、雨靴先端内部の内皮２及び足首部の内皮２に、開口部５をそれぞれ設け、その外側に外皮１を設置して、通気孔３を構成した構造である。
【考案の効果】
【０００４】  この様にすれば、足の爪先部の密閉空間及び、くるぶしと足首の周辺空間が、開放されて換気が行なわれる。さらに、歩く事による足の動き及び雨靴の変形によって、ポンプ作用が生じ、換気が促進される。又、耐久性及び水蜜性も優れている。
【図面の簡単な説明】
【図１】  本考案の断面図及び外皮上面図及び内皮上面図である。
【符号の説明】
１  外皮
２  内皮
３  通気孔
４  足
５  開口部
【図１】
0003145407.tif 000003
(57)【要約】      （修正有）【課題】クレーンのブームで、ケーブルが垂れずに送電する、伸縮するクレーン用伸縮電源用具を提供する。【解決手段】クレーンのブームの伸縮にあう長さの円径が異なり重ね入りして伸縮するパイプ２にカールコード３を入れ、パイプの最小径の先頭部９をブームの先頭部に取り付け、最大サイズのパイプ８をブームの最後部に取り付け、ブームの伸縮に合わせて伸縮させ課題を解決する。【選択図】図１
0003145406.tif 000002
【実用新案登録請求の範囲】
【請求項１】
クレーンのブームに、円径が異なり重ね入りして伸縮するパイプと、キャツプと、ケーブルクランプと、リングと、カールケーブルを、組み合わせ構成した、クレーン用伸縮電源用具。
【考案の詳細な説明】
【技術分野】
【０００１】  本考案は、クレーンのブームに用いる伸縮電源用具に関する。
【背景技術】
【０００２】  従来のクレーンのブームの先端の器具に電流を流すために用いられている電源用具では、クレーンのブームの伸びる長さの電源ケーブルが利用されていた。
【考案の開示】
【考案が解決しようとする課題】
【０００３】  しかし、これでは、ブームを短くしたとき電源ケーブルが垂れ下がり、クレーンの操作が不便である（図２）。
【課題を解決するための手段】
【０００４】  本考案は、クレーンのブームに、円形が異なり重ね入りして伸縮するパイプと、キヤップと、ケーブルクランプと、リングと、カールケーブルを、組み合わせクレーン用伸縮電源用具を構成する。【０００５】  そこで、クレーンのブームに、伸縮幅にあう長さの円径が異なり段階に重ね入れして伸縮するために、最小径パイプの外面の片端に凸形のリングを組み合わせる。リングの組み合わされた最小径パイプの外面に重ねるパイプの内面の片端に凸形のリングを、対端外面に凸形のリングを組み合わせ、最小径パイプの外面の凸形のリングと、重ねたパイプの内面の凸形のリングが当たり引っ掛かるようにする。パイプの径を段階に大きくし凸形のリングを組み合わせ、重ね入れを繰り返しブームの伸びる長さにする。【０００６】  各パイプの伸びたときの先頭部の外面に凸形のリングを組み合わせる。パイプの内部にカールケーブルを入れ、最大径パイプの後部にキャツプを組み合わせ、最小径パイプの先頭部とキャツプにケーブルクランプを組み合わせて、カールケーブルを器具の接続分を引き出す（図１）。【０００７】  ブームの先端部に最小径パイプの先頭部を固定し、ブームの最後部に最大径パイプを固定し、クレーンのブームの伸縮に伴い円経が異なり重ね入れして伸縮するカールケーブルの入ったパイプが伸縮するようにし、クレーンのブームに取り付ける、クレーン用伸縮電源用具（図３）を考案した。
【考案の効果】
【０００８】  本考案のクレーン用伸縮電源用具は、最小径パイプのブームの先端に器具のライトを取り付け、下部を照らすことでブームの伸縮に伴い円径が異なり重ね入りしてパイプが伸縮するのでパイプ内部のカールケーブルは、従来の電源ケーブルのように垂れ下がることを意識する事なく夜でもクレーンの操作を安全に行うことができるのである。
【考案を実施するための最良の形態】
【０００９】  以下、本考案に係る、１０クレーン用、１伸縮電源用具は、図１に示すように円径が異なり重ね入れする最小径、２パイプの外面の片端に、５凸形のリングを組み合わせる。５凸形リングの組み合わせられた最小径、２パイプを、重ね入れする、２パイプの内面の片端に、６凸形のリングを、対端外面に、５凸形のリングを組み合わせ、最小径、２パイプを重ね入れする。【００１０】  最小径、２パイプの外面の、５凸形のリングと、重ね入れする、２パイプの内面の、６凸形のリングが当たり引っ掛かるようにする。【００１１】  このような、２パイプの径を段階に重ね入れを繰り返し、１１ブームの伸びる長さにして、径が異なる、２パイプの伸びたときの先頭部の外面に、５凸形のリングと、８，９パイプの取り付け部を組み合わせ、２パイプの内側に、３カールケーブルを入れ、２最大径パイプの後部に、４最大径パイプのキャツプと、７ケーブルクランプを、２パイプの先頭部と最後部に組み合わせ、７ケーブルクランプから、３カールケーブルを器具の接続分引き出す。【００１２】  最小径、２パイプの、９先頭部取り付け部を、１０クレーンの、１１ブームの先頭部に取り付け、最大径の、２パイプの、８取り付け部を後部の１１ブームに（図３）のように取り付け、器具の、１２ライトを配線する。【００１３】  １０クレーン、１１ブームの伸びるとき、最小径パイプは、９パイプの取り付け部で引き出され片端の、５凸形のリングで、次の径のパイプの内側の、６凸形に当たり、引っ掛かり、次の径のパイプを引き出し、次々の径のパイプを引き出し伸びていく。【００１４】  １１ブームの短くなるときは、最小径、２パイプは、９パイプの取り付け部で伸びたときの逆方向に押され、各パイプの先頭部の、５凸形のリングで次の径のパイプの内面の、６凸形リングに当り、短くなるに伴い、次々の径のパイプを押し、重ね入れしていく。３カールケーブルは、１１ブームの伸縮に伴い、２パイプ内で伸縮を繰り返す。【００１５】  このように工夫した、１クレーン用伸縮電源用具を、１０クレーンの、１１ブームに用いることで、１１ブームの伸縮に支障を与えず、１クレーン用伸縮電源用具を伸縮し、１０ブームの先頭部の、１２ライトに電流を流すことができて、従来のように電源ケーブルが垂れ下がる事を意識する事なく、夜昼共に安全なクレーの作業が行える。【００１６】  これら、クレーンブーム用伸縮電源用具の材料は、塩化ビニールか金属製の適度な円径の強度を持つパイプでよい。各パイプの長さは、各ブームの段差に合わせ円径をブームの段差ごとに縮小し、最大伸びたとき適度に重ね入りしているようにし、カールケーブルの長さはブームの伸びる長さに合わせ、電線の太さは器具の消費電流に合わせて決めるとよい。【００１７】  尚、クレーン用伸縮電源用具は、ブーム内部にスペースがある場合は、内部に取り付けてもよい。
【図面の簡単な説明】
【００１８】
【図１】  本考案に係わるクレーン用伸縮電源用具の全体構造平面図である。
【図２】  従来のコードの付いたクレーンのブームの平面図である。
【図３】  本考案のクレーン用伸縮電源用具をブームに取り付けた平面図である。
【符号の説明】
【００１９】    １  クレーン用伸縮電源用具を示す
２  重ね合わせパイプを示す
３  カールケーブルを示す
４  最大径パイプのキャツプを示す
５  パイプの外面の凸径リングを示す
６  パイプの内面の凸形リングを示す
７  ケーブルクランプを示す
８  最大径パイプの取り付け部を示す
９  最小径パイプの取り付け部を示す
１０  クレーンを示す
１１  ブームを示す
１２  ライトを示す
１３  フックを示す
１４  従来のクレーンのブームのケーブルを示す
【図１】
0003145406.tif 000003
【図２】
0003145406.tif 000004
【図３】
0003145406.tif 000005
(57)【要約】      （修正有）【課題】比較的重い物を収納したときでも引出し状部を中空収納部から円滑に引き出すことができるようにした仏壇を提供する。【解決手段】下台１における中空収納部３に引出し状部５を備えた仏壇において、該引出し状部５は引出し用スライドレール７を介して該中空収納部５に引出し・押込み自在に収納されていることを特徴とする仏壇。引出し用スライドレール７は、引出し状部５の底面９と中空収納部３における該底面９に対応する下面１１との間に取り付けるが、引出し状部５の側面１３と中空収納部３における該側面に対応する側面との間に取り付けてもよい。【選択図】図１
0003145484.tif 000002
【実用新案登録請求の範囲】
【請求項１】
下台における中空収納部に引出し状部を備えた仏壇において、
該引出し状部は引出し用スライドレールを介して該中空収納部に引出し・押込み自在に収納されていることを特徴とする仏壇。
【考案の詳細な説明】
【技術分野】
【０００１】
本考案は、仏壇に関するものであり、特に引出し状部を備えた仏壇に係るものである。
【０００２】
本出願において「引出し状部」とは、引出し自在の経机、大引出、小引出等の如く、仏壇本体の下台における中空収納部に引出し・押込み自在に収納されている箱状の仏壇構成部をいう。
【背景技術】
【０００３】
仏壇は、例えば実用新案登録第３１０４８７１号公報に示すように、一般に下台における中空収納部に引出し状部を備えている。
【特許文献１】実用新案登録第３１０４８７１号公報
【考案の開示】
【考案が解決しようとする課題】
【０００４】
仏壇の引出し状部は、例えば故人の写真アルバム等の如く比較的重い物を収納したときには、中空収納部から円滑に引き出すことができないという問題がしばしば生じている。
【０００５】
本考案は、このような問題を解決し、比較的重い物を収納したときでも引出し状部を中空収納部から円滑に引き出すことができるようにした仏壇を提供しようとしてなされたものである。
【課題を解決するための手段】
【０００６】
上記課題を解決するために、本考案は、下記の如き仏壇を提供する。
【０００７】
下台における中空収納部に引出し状部を備えた仏壇において、
該引出し状部は引出し用スライドレールを介して該中空収納部に引出し・押込み自在に収納されていることを特徴とする仏壇。
【考案の効果】
【０００８】
本考案によれば、仏壇の引出し状部は引出し用スライドレールを介して中空収納部に引出し・押込み自在に収納されているため、比較的重い物を収納したときでも引出し状部を中空収納部から円滑に引き出すことができる。また、比較的重い物を収納した引き出し状部を中空収納部に押込むことも容易である。
【考案を実施するための最良の形態】
【０００９】
本考案による仏壇は、仏壇の下台１における中空収納部３に引出し状部５を備えている点においては、従来の仏壇と共通する。
【００１０】
図３に示す事例においては、仏壇の下台１における中空収納部３に引出し状部５として引出し自在の経机５ａを備えている。
【００１１】
図４に示す事例においては、仏壇の下台１における中空収納部３に引出し状部５として大引出５ｂを備えている。
【００１２】
図５に示す事例においては、仏壇の下台１における中空収納部３に引出し状部５として小引出５ｃを備えている。
【００１３】
しかして、本考案においては、引出し状部５は引出し用スライドレール７を介して仏壇の下台１における中空収納部３に引出し・押込み自在に収納されている。
【００１４】
引出し用スライドレール７は、好ましくは図１に示すように、引出し状部５の底面９と中空収納部３における該底面９に対応する下面１１との間に取り付けるが、図５に示すように、引出し状部５の側面１３と中空収納部３における該側面１３に対応する側面１５との間に取り付けてもよい。
【００１５】
引出し用スライドレール７は、一例として図１、図２に示すように、アウターレール２１と、該アウターレール２１の内側に該アウターレール２１に対し長さ方向に移動自在に配設された中間レール２３と、該中間レール２３の内側に該中間レール２３に対し長さ方向に移動自在に配設されたインナーレール２５とを備え、該アウターレール２１と中間レール２３との間にはボール２７を回転自在に保持する第一リテーナー２９を介在させ、該中間レール２３と該インナーレール２５との間にはボール３１を回転自在に保持する第二リテーナー３３を介在させてなるものである。
【００１６】
図１に示す事例においては、アウターレール２１を中空収納部３における下面１１に固定し、インナーレール２５を引出し状部５の底面９に固定している。
【００１７】
引出し用スライドレール７には、好ましくは、ダンパー（図示せず。）を備えさせる。
【図面の簡単な説明】
【００１８】
【図１】本考案による仏壇において、引出し用スライドレールを介して引出し状部を中空収納部に収納した状態の一例を示す正面図である。
【図２】引出し用スライドレールの一例を示す斜視図である。
【図３】本考案による仏壇の別の一例を示す斜視図である。
【図４】本考案による仏壇の更に別の一例を示す斜視図である。
【図５】本考案による仏壇の更に別の一例を示す斜視図である。
【符号の説明】
【００１９】
１  下台
３  中空収納部
５  引出し状部
５ａ  経机
５ｂ  大引出
５ｃ  小引出
７  引出し用スライドレール
９  底面
１１  下＋面
１３  側面
１５  側面
２１  アウターレール
２３  中間レール
２５  インナーレール
２７  ボール
２９  第一リテーナー
３１  ボール
３３  第二リテーナー
【図１】
0003145484.tif 000003
【図２】
0003145484.tif 000004
【図３】
0003145484.tif 000005
【図４】
0003145484.tif 000006
【図５】
0003145484.tif 000007
(57)【要約】 【課題】 浴槽内での身体の動きを妨げることなく、湯、または水の使用量と、水を沸かすガスの使用量を大幅に節約し、二酸化炭素の排出量を抑制する浴槽用節水・省エネ器具を提供する。【解決手段】 空気注入口を通して空気を注入して充満させた空気入ビニール器具を、浴槽内の足元側の上部の壁面に吸盤で固定し、浴槽内での身体の動きを妨げずに無駄な空間を極力占有した状態で、給水または給湯することにより、湯、または水の使用量と、水を沸かすガスの使用量を大幅に節約し、二酸化炭素の排出量を抑制する。【選択図】 図１
0003145489.tif 000002
【実用新案登録請求の範囲】
【請求項１】
空気注入口を通して空気を注入して充満させ、浴槽内の足元側の上部の壁面に吸盤で固定し、浴槽内での身体の動きを妨げずに無駄な空間を大幅に占有することにより、その体積分の水の使用量や、水を沸かすガスの使用量を節約する空気入ビニール器具。
【請求項２】
空気注入口を通して空気を注入して充満させ、浴槽内の足元側の上部の壁面に吸盤で固定することにより、上部を簡易テーブルとして利用できる空気入ビニール器具。
【考案の詳細な説明】
【技術分野】
【０００１】
この考案は、浴槽内に固定することで水とガスを節約する器具に関する。
【背景技術】
【０００２】
従来、空気を注入するタイプの浴槽用節水・省エネ器具としては、空気を注入して膨らませることができる浮き袋と、この浮き袋を浴槽の底面に固定するための吸盤を有することを特徴とする節約フロートがある（文献１参照）。
【０００３】
また、浴槽の中に収容して使用する浴槽用空気袋において、少なくとも浴槽内の温度に耐える耐熱性を有し、かつ気密性を有する柔軟なシート素材により形成した複数の小袋部を結合し又は結合可能に構成するとともに、各小袋部に、空気の封入口をそれぞれ設けることにより、各小袋部を選択的に膨らませることができるようにしたことを特徴とする浴槽用空気袋がある（文献２参照）。
【０００４】
また、空気を一杯に入れていない１〜２ケの空気袋を、２ケの場合は連結ホースで連結して、浴槽の側底に吸盤で取り付けるようにした浴槽水節減空気袋がある（文献３参照）。
【０００５】
また、吸盤と吸盤を押さえる為の耐熱性の部品とを耐熱性のある風船状の物を取り付け、浴槽底、側面に取り付けるものがある（文献４参照）。
【０００６】
さらに、浴槽内の適所に脱着可能に配備され、上下方向へ伸縮可能な中空胴部を備え、内袋部と外袋部とから成る２重構造で、内袋部と外袋部との間に蓄熱材を充填した節水本体と、この節水本体の適所に配備され、節水本体の浴槽内嵌入状態を固定する取り付け部材と、中空胴部に連通する口部を開閉するキャップとから成る浴槽用節水器がある（文献５参照）。
【特許文献１】特開２００５−２７８２２（Ｐ２００５−２７８２２Ａ）
【特許文献２】特開２００５−３２８９２７（Ｐ２００５−３２８９２７Ａ）
【特許文献３】特開２００３−１９９６８１（Ｐ２００３−１９９６８１Ａ）
【特許文献４】特開２００４−３１３７１４（Ｐ２００４−３１３７１４Ａ）
【特許文献５】実登第３０６０８７４号
【考案の開示】
【考案が解決しようとする課題】
【０００７】
従来の考案は、身体の動きを妨げずに無駄な空間を大幅に占有することができず、節水・省エネの効果が少ないという課題があった。
【課題を解決するための手段】
【０００８】
以上の課題を解決するために、本考案では、空気注入口を通して空気を注入して充満させ、浴槽内の足元側の上部の壁面に吸盤で固定し、浴槽内での身体の動きを妨げずに無駄な空間を大幅に占有することにより、従来の考案よりも飛躍的に多くの水の使用量や、水を沸かすガスの使用量を節約すると同時に、上部を簡易テーブルとしても使用できる空気入ビニール器具を提供することを課題とする。
【考案の効果】
【０００９】
三角柱状の器具を［図１］のように設置し、給水または給湯することにより、浴槽内での身体の動きを妨げずに、従来の技術よりも飛躍的に多い最大１００リットル以上の湯、または水とそれを沸かすために使うガスを節約できる。
【００１０】
平らな面を上に向け、水面から出すことにより、簡易テーブルとしても利用できる。
【００１１】
設置位置を調節したり、注入する空気の量を少なくすることにより、浴槽サイズや使用者の体格の差にも対応でき、また浴槽内の空間を広めに取りたいときにも自由に占有体積を調節できる。
【００１２】
最大約５０リットルの小、同８０リットルの中、同１００リットルの大の３種類製造することで、さらに多様な浴槽サイズに対応できる。
【００１３】
低コストでの製造・販売ができるため、購入者にとっては節水・省エネの便益が大きい。最大約１００リットルの水の使用量や、同０．３立方メートルのガスの使用量を節約できるため、ガスの料金単価を１立方メートルあたり１２９．８５円（税込）、水の料金単価を１リットルあたり０．１３円とすると、一度の使用で最大約４０円のガス代と１４円の水道代、計５４円が節約できる。仮に入浴の頻度を二日に一度とすると、月に８１０円、年に９７２０円が節約できる。
【００１４】
最大約１００リットルの水の使用量や、同０．３立方メートルのガスの使用量を節約できるため、ガスの使用にともなう二酸化炭素排出量を１立方メートルあたり２．２１キログラム、水の使用にともなう二酸化炭素排出量を１立方メートルあたり０．５８キログラムとすると、一度の使用で最大約７３５グラムの二酸化炭素排出量を削減できる。温室効果ガスを抑制するために日本政府が主導している「チーム・マイナス６％」によると、太陽光発電を新規に設置することによる一日の二酸化炭素削減量は６７０グラムであるため、それよりも多くの二酸化炭素を、非常に低コストで削減できることになり、近年増えている家庭からの二酸化炭素の排出削減に多大な貢献ができる。
【考案を実施するための最良の形態】
【００１５】
空気注入口を通して空気を注入して充満させた器具を、［図１］のように浴槽内の足元側の上部の無駄な空間を占有するように壁面に吸盤で固定し、給水または給湯することで、最大１００リットル以上の湯、または水とそれを沸かすために使うガスを節約できる形態で使用することが最良である。
【図面の簡単な説明】
【００１６】
【図１】浴槽の節水・省エネ用空気入ビニール器具の実施方法を示した断面図である。
【図２】浴槽の節水・省エネ用空気入ビニール器具を示した説明図である。
【符号の説明】
【００１７】
１  器具本体
２  吸盤
３  浴槽
４  空気注入口
【図１】
0003145489.tif 000003
【図２】
0003145489.tif 000004
(57)【要約】      （修正有）【課題】優れた攪拌性を有し、かつ小型のスタティックミキサーを提供する。【解決手段】配管内部に、ひねりを有する平板状の攪拌羽根を流れ方向と交差するように複数配置した第１攪拌羽根群と、第１攪拌羽根群の下流に流れ方向と交差するように第２攪拌羽根群を有することを特徴とするスタティックミキサー。第２攪拌羽根群を構成する攪拌羽根のひねりを、第１攪拌羽根群を構成する攪拌羽根と逆のひねりとすることで、より攪拌効率が高まる。【選択図】図１
0003145473.tif 000002
【実用新案登録請求の範囲】
【請求項１】
流路内部に、
ひねりを有する平板状の攪拌羽根１を、流れ方向と交差するように複数配置した第１攪拌羽根群と、
第１攪拌羽根群の下流に、流れ方向と交差するように攪拌羽根を複数配置した第２攪拌羽根群を有することを特徴とするスタティックミキサー。
【請求項２】
前記第２攪拌羽根群が、攪拌羽根１と逆のひねりを有する攪拌羽根２から構成されることを特徴とする請求項１に記載のスタティックミキサー。
【請求項３】
前記流路の最大幅が１００μｍ〜５ｍｍであることを特徴とする請求項１又は２に記載のスタティックミキサー。
【考案の詳細な説明】
【技術分野】
【０００１】
本考案は、流路内を移動する流体を攪拌するためのスタティックミキサーに関する。
【背景技術】
【０００２】
従来、筒状の管内で流体を混合するためのスタティックミキサーとして、ねじり羽根を管内に有する形状が知られている。しかしながら内径１０ｍｍ以上の管に対応したものしかなく、マイクロ流路等の内径１ｍｍ以下の配管で使用できるものはなかった。
【考案の開示】
【考案が解決しようとする課題】
【０００３】
本考案は、優れた攪拌性を有し、かつ小型のスタティックミキサーを提供することを目的とする。
【課題を解決するための手段】
【０００４】
本考案者等は、上記目的を達成するため、鋭意研究した結果、ひねりを有する平板状攪拌羽根を複数並列に配置し、続く列には逆方向のひねりを有する平板状攪拌羽根を複数並列配置させることで、上記課題を解決するものである。
【考案の効果】
【０００５】
本考案によれば、マイクロ流路に使用できる小型のスタティックミキサーを提供することができる。
【考案を実施するための最良の形態】
【０００６】
本考案のスタティックミキサーについて以下説明する。
【０００７】
図２は１組の攪拌羽根群の図である。攪拌羽根を並列配置させることで、部分的に乱流が発生することを防ぎ、流路全体にわたり攪拌することができる。図１は、本考案の代表的な実施例における攪拌羽根群の配置例であるが、第１攪拌羽根群で攪拌された流体は、続く第２攪拌羽根群に到達する。このとき、第２攪拌羽根群を構成する攪拌羽根２のひねりを、第１攪拌羽根群を構成する攪拌羽根１と逆のひねりとすることで、より攪拌効率が高まる。流路が多角形の断面である場合は、第１攪拌羽根群と第２攪拌羽根群を異なる面状に設置しても良い。この場合でも、攪拌羽根１と攪拌羽根２のひねりの方向は逆向きであることが好ましい。
【０００８】
スタティックミキサーが設置される流路の最大幅又は最大径（以下、単に「最大径」と表す。）は１００μｍ〜５ｍｍ、更には１００〜１ｍｍと小径であってもよい。
【０００９】
攪拌羽根のひねりの最大角は、１５〜７５°、好ましくは３０〜６０°である。ひねりが１５°より小さいと攪拌効率が低く、７５°を超えると攪拌羽根が受ける力が大きくなり攪拌羽根が破損するおそれがある。なお、ひねりの角度は、攪拌羽根を取り付け部からの高さ方向でスライスした場合に、断面の両端を結ぶ線がなす角度を比較したものである。
【００１０】
攪拌羽根の流路壁面からの高さは、流路の最大径の２５〜８０％が好ましく、３０〜７５％がより好ましい。攪拌羽根の高さが流路の最大径の２５％未満では十分に攪拌することができず、８０％を超えると攪拌羽根の強度が低下するおそれがある。また、攪拌羽根の高さが流路の最大径の５０％に満たない場合は、対向する壁面に攪拌羽根群を形成しても良い。
【００１１】
攪拌羽根の奥行きは、特に限定されるものではないが、攪拌羽根の高さの２０〜２００％程度で、流路の長さも考慮して適宜決定できる。また、攪拌羽根の厚さは、攪拌羽根の高さの２〜２０％程度が好ましい。攪拌羽根の厚さが高さの２％未満では攪拌羽根の強度が低く、２０％を超えると流れが悪くなるおそれがある。
【００１２】
次に、スタティックミキサー付きマイクロ流路の製造工程について説明する。本実施形態のスタティックミキサー付きマイクロ流路は、立体造形法を用いたマイクロ造形法によって製造する。立体造形法は、コンピュータ上で設計された三次元モデルに基づいて立体モデルを造形する造形法である。具体的には、造形する立体モデルを複数の層に平行スライスして得られる断面群のデータに基づいて造形され、面状に形成された層を積層することによって立体物を造形する。また、マイクロ造形法は、立体造形法を用いて、従来法より高解像度なマイクロメートル単位の解像度で立体造形物を造形する造形方法である。マイクロ造形法では、微細な形状が造形可能となる。従来の立体造形法では、１００μｍ程度の解像度であったが、マイクロ造形法ではその１／１０程度の解像度で造形が可能となっている。
【００１３】
例えば、本実施形態のスタティックミキサー付きマイクロ流路は次のような製造装置・製造工程によって製造される。製造装置は、ＣＡＤ（Computer Aided Design）システムと光造形装置とを備える。ＣＡＤシステムは、任意の形状（例えば、攪拌羽根の形状）を立体流路内部に有する形状として入力可能であり、入力した立体流路形状に基づいて所望の立体形状を表す立体モデルを生成可能なシステムである。光造形装置は、生成された立体モデルを積層単位（露光単位）にスライス、分割化する手段（ソフトウェア）と、所望の立体形状を積層、形成する形態に配列する手段（ソフトウェア）と、配置通りに露光制御可能な造形装置とを備える。
【００１４】
造形装置は、積層単位毎に作製されたデータに基づいて、光硬化性樹脂を露光、樹脂塗布、露光を繰り返して、面状に形成された硬化層を積層一体化して所望の立体形状を作製する。造形装置は、デジタルミラーデバイス等で光を分割することや、対物レンズ等で縮小投影を行うことにより、立体モデルをμｍレベルの精度で作製する機能を備えたものであることが好ましい。
【００１５】
上述したプロセスによって作成したスタティックミキサー付きマイクロ流路は、流路内に未硬化樹脂が残存している。このため、流路に対して加圧、減圧することによって、未硬化樹脂を除去する洗浄液を流すポンプを使用する。
【図面の簡単な説明】
【００１６】
【図１】本考案の一実施例に係るスタティックミキサーの羽根の配置を示した図である。
【図２】本考案の一実施例に係るスタティックミキサーの羽根の列を示した図である。
【図３】本考案の一実施例に係るスタティックミキサーの１枚の羽根を示した図である。
【図１】
0003145473.tif 000003
【図２】
0003145473.tif 000004
【図３】
0003145473.tif 000005
(57)【要約】【課題】  コンパクトで使用しやすいＶリブドベルトの摩擦係数測定装置を提供する。【解決手段】  Ｖリブドベルト１を載置する載置板３と、Ｖリブドベルト１上に載せる錘５と、Ｖリブドベルトに掛かる摩擦力を測定する摩擦力測定手段７と、前記載置板３を移動させる移動手段９と、を有するＶリブドベルトの摩擦係数測定装置であって、前記載置板３がリブ溝１５を有する平板であるＶリブドベルトの摩擦係数測定装置。【選択図】        図１
0003145478.tif 000002
【実用新案登録請求の範囲】
【請求項１】
Ｖリブドベルトを載置する載置板と、Ｖリブドベルト上に載せる錘と、Ｖリブドベルトに掛かる摩擦力を測定する摩擦力測定手段と、前記載置板を移動させる移動手段と、を有するＶリブドベルトの摩擦係数測定装置であって、前記載置板がリブ溝を有する平板であることを特徴とするＶリブドベルトの摩擦係数測定装置。
【考案の詳細な説明】
【技術分野】
【０００１】
この考案はＶリブドベルトの摩擦係数測定装置に係り、より詳しくはコンパクトで操作が簡単である摩擦係数測定装置に関する。
【背景技術】
【０００２】
従来Ｖリブドベルトの摩擦係数は、図  に示すようなレイアウトで、ベルト
を１６０ｒｐｍで回転させ、従動プーリに掛かるトルクと、ベルト張力を測定し、ベルト張力と従動側プーリのトルク値との関係から摩擦係数を算出していた。
この装置では、ベルトの走行試験をするのと同じであり、時間が掛かり装置も大掛かりなものであった。
【０００３】
そこで特許文献１に記載された摩擦伝動ベルトの摩擦係数測定装置を使用していたがが、プーリを用いる点、未だコンパクトではなく、測定方法も難しいものであった。
【０００４】
【特許文献１】特開２００８-３２５４５号
【考案の開示】
【考案が解決しようとする課題】
【０００５】
本考案は、このような問題を解決する為になされたものであり、コンパクトで使用しやすいＶリブドベルトの摩擦係数測定装置を提供することを目的とする。
【課題を解決するための手段】
【０００６】
即ち、本願請求項１に記載の考案は、Ｖリブドベルトを載置する載置板と、Ｖリブドベルト上に載せる錘と、Ｖリブドベルトに掛かる摩擦力を測定する摩擦力測定手段と、前記載置板を移動させる移動手段と、を有するＶリブドベルトの摩擦係数測定装置であって、前記載置板がリブ溝を有する平板であるＶリブドベルトの摩擦係数測定装置にある。
【考案の効果】
【０００７】
請求項１に記載の考案によると、Ｖリブドベルトを載置する載置板と、Ｖリブドベルト上に載せる錘と、Ｖリブドベルトに掛かる摩擦力を測定する摩擦力測定手段と、前記載置板を移動させる移動手段と、を有するＶリブドベルトの摩擦係数測定装置であって、前記載置板がリブ溝を有する平板であるＶリブドベルトの摩擦係数測定装置であることから、簡単に誰でもＶリブドベルトの摩擦係数を測定でき、装置もコンパクトな装置となる。
【考案を実施するための最良の形態】
【０００８】
以下、本考案の実施の形態を説明する。
図１は、本考案の一実施例を示す図である。図１に示されるように、本考案のＶリブドベルトの摩擦係数測定装置は、Ｖリブドベルト１を載置する載置板３と、Ｖリブドベルト１上に載せる錘５と、Ｖリブドベルト１に掛かる力を測定する測定する測定手段７と、前記載置板３を移動させる移動手段９を有している。
【０００９】
載置台３は、前記移動手段９として、モータ１１と図示しないラックアンドピニオンとを有しており、モータ１１とラックアンドピニオンとで載置板３は摩擦力測定手段７と反対側に移動する。移動速度は、２〜６ｍｍ／ｓになるようにするのが好ましい。載置板３は、測定するＶリブドベルト１のＶリブ部が嵌号するリブ溝１５が刻設された平板であり、当該リブ溝１５にＶリブドベルト１を嵌合させ、その上に錘５を載せる。
【００１０】
錘５と摩擦力測定手段７とは、ロープ１７等で連結されており、載置板３が移動したときに摩擦力が掛かるようになる。その摩擦力は、摩擦力測定手段７によって測定される。ここで使用される摩擦力測定手段７は、フォースゲージ、ロードセル等が好適に用いられる。又、該載置板３の移動方向は、載置板３に設けられたリブ溝１５の長手方向と平行に移動できるように設定する。このとき、該載置板３のリブ溝１５刻設面とは反対側にリブ溝１５の長手方向と平行に設けられたガイド突起状２１を設け、リブ溝１５と平行に設けられたＬＭガイド溝とを嵌合することによって載置板３がリブ溝１５の長手方向と平行に移動できるようにしている。
【００１１】
該載置板３のリブ溝１５は、図２に示すように、Ｖリブドベルトのリブ形状に合致した形状とする。又、求めるＶリブドベルトの摩擦係数μは、μ＝Ｆ（Ｎ）／Ｗ（Ｎ）で表される。ここで、Ｆは、摩擦力測定手段７で測定された摩擦力で、Ｗは、錘５の質量である。
【００１２】
該載置板３の材質は、アルミニウム、鉄（ＳＳ４００，Ｓ４５Ｃ）等が使用可能であるが、好適にはアルミニウムが用いられ、リブ溝１５の表面租度は０．４０〜１．６ａが好ましい。
【図面の簡単な説明】
【００１３】
【図１】本考案の装置の一実施例を示す図である。
【図２】図１の載置台の溝を示した拡大図である。
【図３】本考案で、測定対象となるＶリブドベルトの斜視図である。
【図４】従来の摩擦係数測定装置である。
【符号の説明】
【００１４】
１  Ｖリブドベルト
２  Ｖリブドベルトの摩擦係数測定装置
３  載置板
５  錘
７  摩擦力測定手段
９  移動手段
１１  モータ
１５  リブ溝
１７  ロープ
１９  ＬＭガイド溝
２１  突状
３２  接着層
３３  心線
３５  伸張層
３６  圧縮層
【図１】
0003145478.tif 000003
【図２】
0003145478.tif 000004
【図３】
0003145478.tif 000005
【図４】
0003145478.tif 000006
(57)【要約】      （修正有）【課題】スリッパにおいて、フローリング用ワイパーシートが装着可能なマジックテープ（登録商標）のフック側を設けたことにより、フローリング用ワイパーシートを使って掃除ができるスリッパを提供する。【解決手段】スリッパ１の底面にマジックテープ（登録商標）のフック側２を設け、このマジックテープ（登録商標）１にフローリング用ワイパーシートをフックさせ固定させることにより、スリッパを履きながら髪の毛等まで掃除をすることができるという利便性がある。【選択図】図１
0003145960.tif 000002
【実用新案登録請求の範囲】
【請求項１】
スリッパの底面にマジックテープ（登録商標）のフック側を設けたことにより、フローリング用ワイパーシートを装着できることを特徴とするスリッパ。
（１）
【考案の詳細な説明】
【技術分野】
【０００１】
本考案は、スリッパに関するものである。
【背景技術】
【０００２】
スリッパを履きながら掃除できるスリッパである。
【考案の開示】
【考案が解決しようとする課題】
【０００３】
従来のモップが付いたスリッパでは、髪の毛等のゴミを取ることができず、掃除機又はフローリング用ワイパーシートにて掃除する以外方法がなかったが、フローリング用ワイパーシート装着できるスリッパより、前述の問題点を解決しようとするものである。
【課題を解決するための手段】
【０００４】
本考案は、スリッパの底面にマジックテープ（登録商標）をマジックテープ（登録商標）のフック側を設けたことにより、このマジックテープ（登録商標）にフローリング用ワイパーシートが装着されることで問題点を解決している。
【考案の効果】
【０００５】
上述のように、スリッパ（１）の底面にマジックテープ（登録商標）のフック側（２）を設け、フローリング用ワイパーシートを装着させることにより、髪の毛等のゴミまで掃除をすることができる。
（２）
【考案を実施するための最良の形態】
【０００６】
スリッパにおいて、フローリング用ワイパーシートが脱着可能なフック側マジックテープ（登録商標）を設けるのが望ましい。
【実施例】
【０００７】
以下、添付図面に従って一実施例を説明する。スリッパ本体（１）に対して、フローリング用ワイパーシートが脱着可能なフック側マジックテープ（登録商標）（２）を設けている。
【図面の簡単な説明】
【０００８】
【図１】本フローリング用ワイパーシートを装着できるスリッパの斜視図である。
【符号の説明】
【０００９】
１  スリッパ
２  マジックテープ（登録商標）のフック側
【図１】
0003145960.tif 000003
(57)【要約】      （修正有）【課題】紙折りの習練技能がなくても、紙面の凹凸形成によるお面づくりなどの紙工作が簡易に行える紙工作用の用紙を提供する。【解決手段】用紙の全面に網目状の折り目を筋押加工で設けることによって、紙折り技能の習練がなくても自在な凹凸の形成による例えばお面づくりなどの紙工作が簡易にできるよう課題を解決している。縦線と横線と斜線からなる網目状の折り目２が全面に筋押加工された紙工作用の用紙１の折り目を辿り両手指で谷折り３山折り４を施し、形成される凹凸をステープラーなどで固定５して、例えばお面などの形状の構想を実現する。【選択図】図２
0003145944.tif 000002
【実用新案登録請求の範囲】
【請求項１】
用紙の全面に網目状の折り目を筋押加工した紙工作用の用紙
【考案の詳細な説明】
【技術分野】
【０００１】  本考案は、紙折りにより紙面に凹凸を形成する例えばお面づくりなどの紙工作に便利な用紙に関するものである。
【背景技術】
【０００２】  紙折りにより紙面に凹凸を形成する例えばお面づくりなど紙工作は紙折り技能の習練が求められ簡易ではなかった。
【考案の開示】
【考案が解決しようとする課題】
【０００３】  従来の用紙は、紙折りによって紙面に凹凸を形成するには平坦面を保持しようとする紙の基本的性質が抵抗となるため、例えばお面づくりなど自在な紙折りによる紙工作には不向きであった。
【課題を解決するための手段】
【０００４】  本考案は、用紙の全面に網目状の折り目を筋押加工で設けることによって、紙折り技能の習練がなくても自在な凹凸の形成による例えばお面づくりなどの紙工作が簡易にできるよう課題を解決している。
【考案の効果】
【０００５】  本考案の用紙は、紙折りの習練技能がなくても紙面の凹凸形成によるお面づくりなどの紙工作が簡易に行え、造形の学習や趣味のペーパークラフトなどの材料として役立つ。
【考案を実施するための最良の形態】
【０００６】  例えばお面づくりでは、本考案の用紙の折り目を辿り両手指で谷折り山折りを施し、形成される凹凸を粘着テープやステープラーなどで固定しながらお面の構想を逐次実現していく。このとき谷折り山折りは予め設けられた折り目を筋道に施されるので凹凸の変更が繰り返し可能であり構想を自在に調整しながらつくり進めることができる。
【実施例】
【０００７】  図面にもとづき説明すると、縦線と横線と斜線からなる網目状の折り目（２）が全面に筋押加工された紙工作用の用紙（１）の折り目を辿り両手指で谷折り（３）山折り（４）を施し、形成される凹凸をステープラーなどで固定（５）して、例えばお面などの形状の構想を実現する。
【図面の簡単な説明】
【０００８】
【図１】本考案の筋押加工網目状折り目付き紙工作用用紙の平面図である。
【図２】本考案の実施例の工程途中を示す斜視図である。
【図３】本考案の実施例の工程完了を示す斜視図である。
【符号の説明】
【０００９】１は筋押加工網目状折り目付き紙工作用用紙
２は縦線と横線と斜線からなる網目状の筋押加工折り目の一部分
３は谷折りの一部分
４は山折りの一部分
５はステープラーなどによる一固定箇所
【図１】
0003145944.tif 000003
【図２】
0003145944.tif 000004
【図３】
0003145944.tif 000005
(57)【要約】      （修正有）【課題】本体形状を問わず、加工が容易で、操作性に優れたマウスパッドを提供する。【解決手段】マウスパッド本体に上質紙など平滑でない用紙を使用し、本体１に５％から３０％の範囲内で網掛け印刷２を施すことにより、操作性が優れ、本体形状にとらわれず、加工が容易といった利点を得る。また、複数枚積層することで印刷劣化や汚れなどがあった場合、乖離することで常にその性能を保つ。【選択図】図１
0003145949.tif 000002
【実用新案登録請求の範囲】
【請求項１】
板状をなす本体に上質紙など表面が平滑でない用紙を使い、さらにその表面に５％から３０％の範囲で網掛け印刷を施すことを特徴とするマウスパッド。
【請求項２】
前記本体部を複数枚積層することを特徴とする請求項１に記載のマウスパッド。
【考案の詳細な説明】
【技術分野】
【０００１】本考案はコンピュータ用マウスの下敷きとして使用するマウスパッドに関する。
【背景技術】
【０００２】  コンピュータの入力装置としてマウスが知られているが、特に光学式マウスが一般的に使用されている。光学式マウスは本体底部の発光器より光を照射し、床面に反射させ、受光器にてその画像を読み取ることにより使用することができる。【０００３】  ところで、近年では、光学式マウスを使用する際に、操作性を良くするため下敷きとしてマウスパッドが使われる。しかし、マウスパッドの反応が悪いと操作が困難となるため、反応の良いマウスパッドを使用する必要がある。
【考案の開示】
【考案が解決しようとする課題】
【０００４】  本考案は上記に鑑みて成されたものであり、反応性に優れ、形状を問わず、加工が容易なマウスパッドを提供することを目的とする。【０００５】  反応性向上のため本体表面に印刷を施すと、長時間使用した場合、表面の印刷が剥げたり、汚れたりする。そのため、常に表面を新しい状態に保てるようにしなければいけない。
【課題を解決するための手段】
【０００６】  上記課題を解決する本考案のマウスパッドは、板状をなす本体に上質紙など表面が平滑でない用紙を使い、さらにその表面に５％から３０％の範囲で網掛け印刷を施すことを特徴とする。【０００７】  本体を複数枚積層し、表面の印刷劣化や汚れなどがあった場合、最上部を剥離することを特徴とする。
【考案の効果】
【０００８】  本考案のマウスパッドは、本体に上質紙など平滑でない用紙を使用し、さらにその表面に５％から３０％の範囲で網掛け印刷を施すことにより、光学式マウスの反応性を良好にする。【０００９】  本体を複数枚積層することにより、表面の印刷劣化や汚れなどがあった場合、最上部を剥離することによって、その性能を保つ。【００１０】  本考案のマウスパッドは、本体部分の形状を問わないため、さまざまな意匠を使用することができる。【００１１】  本考案のマウスパッドは、本体表面の印刷を問わないため、さまざまな意匠を使用することができる。【００１２】  本考案のマウスパッドは、板状をなす本体部分に紙を使用するので、加工が容易である。
【考案を実施するための最良の形態】
【００１３】  本考案のマウスパッドにおいて、本体部を構成する材料は上質紙など表面が平滑でない用紙を使用する。【００１４】  本考案のマウスパッドは、本体に５％から３０％の範囲内で網掛け印刷が施されている。【００１５】  本考案のマウスパッドは、複数枚積層し、周辺部の一部又は複数個所を互いに乖離できるようにする。【００１６】  本考案のマウスパッドにおいて、本体部の形状は限定されない。例えば、丸であっても良いし四角であっても良い。また、肉厚も特に限定されず、厚肉であっても良いし、薄肉であっても良い。また、何層かに積み重なっていても良い。
【実施例】
【００１７】  以下、本考案のマウスパッドを、図面を基に説明する。  （実施例１）  実施例１のマウスパッドは、上記構成を備える。実施例１のマウスパッドを模式的に表す側面図を図１に、斜視図を図２にそれぞれ示す。【００１８】  実施例１のマウスパッドは、本体表面に印刷を施されている。本体部分に紙を使用することにより、容易かつ安価に形成できる。【００１９】  さらに、実施例１のマウスパッドは本体部分の形状を問わないため、優れた意匠性を付与できる。
【図面の簡単な説明】
【００２０】
【図１】実施例１のマウスパッドを模式的に表す側面図である。
【図２】実施例１のマウスパッドを模式的に表す斜視図である。
【符号の説明】
【００２１】  １：本体、２：印刷層
【図１】
0003145949.tif 000003
【図２】
0003145949.tif 000004
(57)【要約】      （修正有）【課題】犬や猫などによる細菌汚染の著しい咬創における創の感染合併症を低減させることを目的に使用する先細りとした極細フィルムドレーンを提供する。【解決手段】最先端を丸く３加工し、且つ、先細り２として小さな傷口からの挿入を容易とさせた２ミリメートルほどの幅の極細フィルムドレーンとする。この極細ドレーンを細菌汚染の著しい犬や猫による咬創に留置することにより、その後の感染合併症の発生を減少させるのに役立つ。【選択図】図１
0003145950.tif 000002
【実用新案登録請求の範囲】
【請求項１】
医療用のフィルムドレーンを極細にし、同時に先細りとすることにより、犬や猫などによる咬創や汚染創へのドレーンの挿入を容易とし、受傷後の創の感染合併症を低減させることを特徴とした極細フィルムドレーン。
【考案の詳細な説明】
【技術分野】
【０００１】  本考案は、幅を２ミリメートルほどと極細にし、同時に先細りにした医療用のフィルムドレーンに関するものである。
【背景技術】
【０００２】  犬や猫等による咬創では極めて細菌汚染が強く、且つ、小さな傷口の割に創は深いため洗浄も十分に実施できず、高頻度に創の感染合併症が発生している。その対策として創内の汚染分泌物を排液するドレーンの挿入、留置が必要であるが、この様な傷口の狭い咬創の処置用として適当な太さのドレーンがなかった。
【考案の開示】
【考案が解決しようとする課題】
【０００３】  咬創において高頻度に発生する創の感染合併症対策として、ドレーンの留置は有用であるが、従来までの幅のフィルムドレーンでは大き過ぎて数ミリメートルの大きさの傷口には使用できなかった。そこで小さな傷口にも容易に挿入できる極細フィルムドレーンを作成することにより、前述の欠点を解決しようとするものである。
【課題を解決するための手段】
【０００４】  本考案は、小さな傷口からの挿入を容易とするために２ミリメートルほどの幅の極細で、且つ、先細りとしたフィルムドレーンであり、犬や猫などの咬創における創の感染合併症の低減を可能とし、前述の欠点を解決している。
【考案の効果】
【０００５】  上述の様に、先細りとした極細フィルムドレーンにより、細菌汚染の著しい咬創などの傷口から容易にドレーンを挿入でき、創の感染合併症を減少する効果がある。
【考案の実施するための最良の形態】
【０００６】  傷口からの挿入を容易とするために先端を丸く、且つ、先細りとした幅２ミリメートルほどで、長さは５センチメートル程のフィルムドレーンである。
【実施例】
【０００７】  以下、添付図面に従って一実施例を説明する。材質は通常用いられるシリコン製で２ミリメートル幅の極細で先端部は１センチメートルの長さにおいて１ミリメートル幅までの先細りとし、最先端は傷口からの挿入が容易となるよう丸くする。【０００９】  本考案は小さな傷口から容易に挿入できる極細フィルムドレーンであり、皮膚への固定は創面テープなどにて行う。固定後は余分な長さの部位は切り落として使用する。
【図面の簡単な説明】
【００１０】
【図１】本考案を横からみた一実施例である。
【符号の説明】
【００１１】１  幅２ミリメートル、長さ５センチメートルほどの極細フィルムドレーン
２  先細り部
３  丸くした最先端部
【図１】
0003145950.tif 000003